(57)【要約】【課題】主に、被覆材の有無に拘らず、同じインストルメントパネルと空調グリル部品とがそのまま使用できるようにする。【解決手段】インストルメントパネル１に対し、被覆材２１が選択的に貼着可能とされると共に、被覆材２１の有無に拘らず、同じインストルメントパネル１と空調グリル部品３とがそのまま使用可能に構成され、当面部１５と係止固定部１７とが、合せ面部１３，１３’の、被覆材２１の厚み分の側方変位を許容可能な側方変位対応型当面部２８および側方変位対応型係止固定部２９とされると共に、グリル部品取付部１０と空調グリル部品３との間に、空調グリル部品３の側方変位に伴うガタ付きを防止可能なグリル部品ガタ付防止手段２５が介装されるようにしている。【選択図】図３
2010095182.tif 000002
【特許請求の範囲】
【請求項１】
インストルメントパネルに、角型の空調グリル部品を取付可能なグリル部品取付部が設けられ、
空調グリル部品が、入側風路部と、該入側風路部に対して少なくとも両側方へ張出す出側枠部とを有し、
グリル部品取付部が、入側風路部を挿通配置可能な貫通穴部と、出側枠部を収容配置可能な枠部用凹部とを備え、
グリル部品取付部が、空調グリル部品に対する当面部を有すると共に、グリル部品取付部と空調グリル部品との間に、空調グリル部品をグリル部品取付部に対して係止保持可能な係止固定部が設けられ、
且つ、枠部用凹部に、出側枠部の一側部に対する合せ面部が形成されると共に、枠部用凹部に、出側枠部の他側部に対する合せ面欠落部が形成された空調グリル部品取付構造において、
インストルメントパネルに対し、被覆材が選択的に貼着可能とされると共に、被覆材の有無に拘らず、同じインストルメントパネルと空調グリル部品とがそのまま使用可能に構成され、
前記当面部と係止固定部とが、前記合せ面部の、被覆材の厚み分の側方変位を許容可能な側方変位対応型当面部および側方変位対応型係止固定部とされると共に、
グリル部品取付部と空調グリル部品との間に、空調グリル部品の側方変位に伴うガタ付きを防止可能なグリル部品ガタ付防止手段が介装されたことを特徴とする空調グリル部品取付構造。
【請求項２】
前記側方変位対応型当面部を、入側風路部の奥部が当る奥当部とすると共に、該奥当部を、被覆材の厚み分の側方変位を許容可能なスライド当面とし、
前記側方変位対応型係止固定部が、入側風路部の奥部から奥側へ向けて突設された係止爪部と、前記奥当部またはその近傍に設けられて前記係止爪部を係止可能な係止孔とを備えると共に、該係止孔が、係止爪部の、被覆材の厚み分の側方変位を許容可能な長孔とされたことを特徴とする請求項１記載の空調グリル部品取付構造。
【請求項３】
前記グリル部品ガタ付防止手段が、入側風路部の他側面と貫通穴部の対応する周辺部位との間隙に配設されて、空調グリル部品を一側方へ向けて付勢可能な付勢用部材であることを特徴とする請求項１または２記載の空調グリル部品取付構造。
【発明の詳細な説明】
【技術分野】
【０００１】
この発明は、空調グリル部品取付構造に関するものである。
【背景技術】
【０００２】
自動車などの車両には、車室内の前部にインストルメントパネルが設けられている。このインストルメントパネルには、通常、空調用エアの吹出口となる空調グリル部品が取付けられている（例えば、特許文献１参照）。このような空調グリル部品には、角型のものが存在している。
【０００３】
図５は、インストルメントパネル１の例を示すものであり、このインストルメントパネル１では、フロントウインドガラスＷの窓枠（横窓枠）などを構成するいわゆるＡピラー２の基部の直下部で、且つ、インストルメントパネル１の車幅方向の端部の位置に、上記した角型の空調グリル部品３（サイドベンチレータグリル）が設置されている。この角型の空調グリル部品３は、この場合、上下方向に短く、車幅方向に長い、ほぼ横長の長方形状を呈している。
【０００４】
なお、インストルメントパネル１における空調グリル部品３の下縁部よりも下側の部分には、木目調の加飾フィニッシャ４が取付けられている。また、この木目調の加飾フィニッシャ４の下部には、グローブボックス５が設置されている。
【０００５】
上記したインストルメントパネル１には、図６に示すように、芯材６と表皮材７と発泡層８とを有する三層構造のものが存在している。このような三層構造のインストルメントパネル１は、芯材６と表皮材７とがセットされた図示しない発泡成形装置の発泡型内に発泡剤（薬液）を注入して、芯材６と表皮材７との間に発泡層８を発泡形成することによって一体物となるように製造されている。
【０００６】
このようなインストルメントパネル１に対し、空調グリル部品３を取付可能なグリル部品取付部１０が設けられる。
【０００７】
ここで、空調グリル部品３は、図７に示すように、入側風路部３Ａと、この入側風路部３Ａに対して少なくとも両側方へ張出すフランジ状の出側枠部１４とを有している。
【０００８】
これに対し、図６に示すように、グリル部品取付部１０は、入側風路部３Ａを挿通配置可能な貫通穴部１１と、出側枠部１４を収容配置可能な枠部用凹部１２とを備えている。貫通穴部１１と枠部用凹部１２とは、それぞれ、入側風路部３Ａおよび出側枠部１４とほぼ対応する大きさや形状や位置関係などを備えている。
【０００９】
この場合、枠部用凹部１２は、インストルメントパネル１の上記部分に対し、表皮材７と発泡層８とを設けずに、芯材６を露出させることによって構成されている。そして、枠部用凹部１２の少なくとも一側部の端面（段差面）は、表皮材７の対応する端末部によって発泡層８の端面を覆うようにして構成されている。また、貫通穴部１１は、枠部用凹部１２の奥面における芯材６が露出された部分に形成されている。これに対応させて、出側枠部１４は、枠部用凹部１２に設置した時に、その表面がインストルメントパネル１の表面とほぼ面一になるように、表皮材７と発泡層８との厚みの和とほぼ等しい厚さ寸法などを備えている。なお、入側風路部３Ａの奥端部には、図示しない空調ダクトが接続されるようになっている。
【００１０】
そして、グリル部品取付部１０は、空調グリル部品３に対する当面部１５を有している。この当面部１５は、グリル部品取付部１０に対する空調グリル部品３の挿入量を規制するなどのためのものである。この場合、当面部１５は、枠部用凹部１２の奥面における露出された芯材６の両側部の表面に設定されている。この芯材６の表面に対し、出側枠部１４の裏面が当接される。
【００１１】
また、グリル部品取付部１０と空調グリル部品３との間には、空調グリル部品３をグリル部品取付部１０に対して係止保持可能な係止固定部１７が設けられている。この場合、係止固定部１７として、上記露出された芯材６の裏面に係止可能な爪部が備えられている。この爪部は、空調グリル部品３の入側風路部３Ａの両側面における、出側枠部１４の裏面から芯材６の厚み分だけ奥側に隔てた位置に設けられている。
【００１２】
且つ、枠部用凹部１２に、出側枠部１４の一側部に対する合せ面部１３が形成されている。この合せ面部１３は、枠部用凹部１２の内側端面に設けられている。この合せ面部１３は、枠部用凹部１２の端面（段差面）にて、発泡層８の端面を覆うようにして設けられた表皮材７の対応する端末部にて構成されている。
【００１３】
また、枠部用凹部１２には、出側枠部１４の他側部に対する合せ面欠落部９が形成されている。この合せ面欠落部９は、この場合、空調グリル部品３が、インストルメントパネル１の車幅方向の端部に位置することなどによって、枠部用凹部１２の外側端面に設けられる。
【特許文献１】特開２００５−２３９０９５
【発明の開示】
【発明が解決しようとする課題】
【００１４】
車種によっては、三層構造のインストルメントパネル１における表皮材７の表面に対して、図６に仮想線で示すように、本革１８などの被覆材２１を貼着して高級感を演出する仕様が設定される場合がある。被覆材２１には、１ｍｍ〜１．５ｍｍ程度の厚みがあるため、単純に被覆材２１を貼着した場合には、枠部用凹部１２における内側端面の合せ面部１３の位置が、被覆材２１の厚み分だけ他側部の側へ変位して（合せ面部１３’）、空調グリル部品３の合せが狂ってしまうことになる。すると、上記露出された芯材６の裏面に対する、係止固定部１７の爪部のかかりが、一側部では浅くなり、他側部では深く成り過ぎるなどによって、空調グリル部品３をうまく取付けることができなくなってしまう。
【００１５】
そこで、従来は本革１８などの被覆材２１を貼着する仕様と、貼着しない仕様とで、発泡型を変えて調整したり、厚さ寸法の異なる表皮材７を使用して調整したり、表皮材７を後から削って厚みを変えるなどしたり、大きさの異なる空調グリル部品３を使用したりするなどして、造り分けを行うようにしていた。
【００１６】
しかし、このように、仕様によって造り分けを行うようにすると、コストや手間がかかるという問題があった。
【課題を解決するための手段】
【００１７】
上記課題を解決するために、請求項１に記載された発明では、インストルメントパネルに、角型の空調グリル部品を取付可能なグリル部品取付部が設けられ、空調グリル部品が、入側風路部と、該入側風路部に対して少なくとも両側方へ張出す出側枠部とを有し、グリル部品取付部が、入側風路部を挿通配置可能な貫通穴部と、出側枠部を収容配置可能な枠部用凹部とを備え、グリル部品取付部が、空調グリル部品に対する当面部を有すると共に、グリル部品取付部と空調グリル部品との間に、空調グリル部品をグリル部品取付部に対して係止保持可能な係止固定部が設けられ、且つ、枠部用凹部に、出側枠部の一側部に対する合せ面部が形成されると共に、枠部用凹部に、出側枠部の他側部に対する合せ面欠落部が形成された空調グリル部品取付構造において、インストルメントパネルに対し、被覆材が選択的に貼着可能とされると共に、被覆材の有無に拘らず、同じインストルメントパネルと空調グリル部品とがそのまま使用可能に構成され、前記当面部と係止固定部とが、前記合せ面部の、被覆材の厚み分の側方変位を許容可能な側方変位対応型当面部および側方変位対応型係止固定部とされると共に、グリル部品取付部と空調グリル部品との間に、空調グリル部品の側方変位に伴うガタ付きを防止可能なグリル部品ガタ付防止手段が介装されたことを特徴としている。
【００１８】
請求項２に記載された発明では、前記側方変位対応型当面部を、入側風路部の奥部が当る奥当部とすると共に、該奥当部を、被覆材の厚み分の側方変位を許容可能なスライド当面とし、前記側方変位対応型係止固定部が、入側風路部の奥部から奥側へ向けて突設された係止爪部と、前記奥当部またはその近傍に設けられて前記係止爪部を係止可能な係止孔とを備えると共に、該係止孔が、係止爪部の、被覆材の厚み分の側方変位を許容可能な長孔とされた請求項１記載の空調グリル部品取付構造を特徴としている。
【００１９】
請求項３に記載された発明では、前記グリル部品ガタ付防止手段が、入側風路部の他側面と貫通穴部の対応する周辺部位との間隙に配設されて、空調グリル部品を一側方へ向けて付勢可能な付勢用部材である請求項１または２記載の空調グリル部品取付構造を特徴としている。
【発明の効果】
【００２０】
請求項１の発明によれば、インストルメントパネルに、角型の空調グリル部品を取付可能なグリル部品取付部が設けられ、空調グリル部品が、入側風路部と、該入側風路部に対して少なくとも両側方へ張出す出側枠部とを有し、グリル部品取付部が、入側風路部を挿通配置可能な貫通穴部と、出側枠部を収容配置可能な枠部用凹部とを備え、グリル部品取付部が、空調グリル部品に対する当面部を有すると共に、グリル部品取付部と空調グリル部品との間に、空調グリル部品をグリル部品取付部に対して係止保持可能な係止固定部が設けられ、且つ、枠部用凹部に、出側枠部の一側部に対する合せ面部が形成されると共に、枠部用凹部に、出側枠部の他側部に対する合せ面欠落部が形成された空調グリル部品取付構造において、インストルメントパネルに対し、被覆材が選択的に貼着可能とされると共に、被覆材の有無に拘らず、同じインストルメントパネルと空調グリル部品とがそのまま使用可能に構成され、前記当面部と係止固定部とが、前記合せ面部の、被覆材の厚み分の側方変位を許容可能な側方変位対応型当面部および側方変位対応型係止固定部とされると共に、グリル部品取付部と空調グリル部品との間に、空調グリル部品の側方変位に伴うガタ付きを防止可能なグリル部品ガタ付防止手段が介装されたことにより、以下のような作用効果を得ることができる。即ち、側方変位対応型当面部および側方変位対応型係止固定部を設けると共にグリル部品ガタ付防止手段を設けることによって、被覆材の有無に拘らず、同じインストルメントパネルと空調グリル部品とがそのまま使用可能となるので、被覆材の有無による仕様上の造り分けが必要なくなり、コストや手間を抑えることができる。これによって、発泡型を変えたり、厚さ寸法の異なる表皮材を使用したり、表皮材を削って厚みを変えたり、大きさの異なる空調グリル部品を使用したりするなどの必要をなくすことができる。
【００２１】
請求項２の発明によれば、前記側方変位対応型当面部を、入側風路部の奥部が当る奥当部とすると共に、該奥当部を、被覆材の厚み分の側方変位を許容可能なスライド当面とし、前記側方変位対応型係止固定部が、入側風路部の奥部から奥側へ向けて突設された係止爪部と、前記奥当部またはその近傍に設けられて前記係止爪部を係止可能な係止孔とを備えると共に、該係止孔が、係止爪部の、被覆材の厚み分の側方変位を許容可能な長孔とされたことにより、側方変位の影響の少ない奥部の位置に無理なく側方変位対応型当面部と側方変位対応型係止固定部とを設けることができる。
【００２２】
請求項３の発明によれば、前記グリル部品ガタ付防止手段が、入側風路部の他側面と貫通穴部の対応する周辺部位との間隙に配設されて、空調グリル部品を一側方へ向けて付勢可能な付勢用部材であることにより、簡単な構成で、確実に空調グリル部品のガタを抑制することができる。
【発明を実施するための最良の形態】
【００２３】
以下、本発明を具体化した実施例について、図示例と共に説明する。
【実施例】
【００２４】
図１〜図４は、この発明の実施例を示すものである。
【００２５】
なお、インストルメントパネルや空調グリル部品などの構成については、図５などを用いて説明したものと基本的にほぼ同様なので、必要に応じてこの図面などを参照すると共に、これらに対する記載などを以てこの実施例の説明とすることができる。この際、同一ないし均等な部分については、同一の符号を付すようにしている。但し、構成の異なる部分については、図１〜図４に拠るものとする。
【００２６】
まず、構成について説明する。
【００２７】
自動車などの車両には、車室内の前部にインストルメントパネルが設けられている。このインストルメントパネルには、通常、空調用エアの吹出口となる空調グリル部品が取付けられている。このような空調グリル部品には、角型のものが存在している。
【００２８】
図５は、インストルメントパネル１の例を示すものであり、このインストルメントパネル１では、フロントウインドガラスＷの窓枠（横窓枠）などを構成するいわゆるＡピラー２の基部の直下部で、且つ、インストルメントパネル１の車幅方向の端部の位置に、上記した角型の空調グリル部品３（サイドベンチレータグリル）が設置されている。この角型の空調グリル部品３は、この場合、上下方向に短く、車幅方向に長い、ほぼ横長の長方形状を呈している。
【００２９】
なお、インストルメントパネル１における空調グリル部品３の下縁部よりも下側の部分には、木目調の加飾フィニッシャ４が取付けられている。また、この木目調の加飾フィニッシャ４の下部には、グローブボックス５が設置されている。
【００３０】
上記したインストルメントパネル１には、図１、図２に示すように、芯材６と表皮材７と発泡層８とを有する三層構造のものが存在している。このような三層構造のインストルメントパネル１は、芯材６と表皮材７とがセットされた図示しない発泡成形装置の発泡型内に発泡剤（薬液）を注入して、芯材６と表皮材７との間に発泡層８を発泡形成することによって一体物となるように製造されている。
【００３１】
このようなインストルメントパネル１に対し、空調グリル部品３を取付可能なグリル部品取付部１０が設けられる。なお、グリル部品取付部１０に対し、空調グリル部品３は、ほぼ車両前後方向の前方へ向けて挿入することによって取付けられる（取付方向２０）。
【００３２】
ここで、空調グリル部品３は、入側風路部３Ａと、この入側風路部３Ａに対して少なくとも両側方（この場合には、車幅方向となっているが上下方向であっても良い）へ張出すフランジ状の出側枠部１４とを有している。なお、入側風路部３Ａは、奥側に位置し、出側枠部１４は手前側に位置するものである。
【００３３】
これに対し、グリル部品取付部１０は、入側風路部３Ａを挿通配置可能な貫通穴部１１と、出側枠部１４を収容配置可能な枠部用凹部１２とを備えている。貫通穴部１１と枠部用凹部１２とは、それぞれ、入側風路部３Ａおよび出側枠部１４とほぼ対応する大きさや形状や位置関係などを備えている。
【００３４】
この場合、枠部用凹部１２は、インストルメントパネル１の上記部分に対し、表皮材７と発泡層８とを設けずに、芯材６を露出させることによって構成されている（芯材露出部）。そして、枠部用凹部１２の少なくとも一側部の端面（段差面）は、表皮材７の対応する端末部によって発泡層８の端面を覆うようにして構成されている。また、貫通穴部１１は、枠部用凹部１２の奥面における芯材６が露出された部分に形成されている。これに対応させて、出側枠部１４は、枠部用凹部１２に設置した時に、その表面がインストルメントパネル１の表面とほぼ面一になるように、表皮材７および発泡層８の厚みの和とほぼ等しい厚さに構成されている。なお、出側枠部１４の内部などには、風向調整用のルーバー（縦ルーバーや横ルーバー）などが適宜設置される。また、入側風路部３Ａの奥端部には、図示しない空調ダクトが接続されるようになっている。入側風路部３Ａと空調ダクトとの接続部分には、比較的厚めのシール部材が介装される。
【００３５】
そして、グリル部品取付部１０は、空調グリル部品３に対する当面部１５を有している。この当面部１５は、グリル部品取付部１０に対する空調グリル部品３の挿入量を規制するなどのためのものである。
【００３６】
また、グリル部品取付部１０と空調グリル部品３との間には、空調グリル部品３をグリル部品取付部１０に対して係止保持可能な係止固定部１７が設けられている。
【００３７】
且つ、枠部用凹部１２には、出側枠部１４の一側部に対する合せ面部１３が形成されている。この合せ面部１３は、枠部用凹部１２の内側端面に設けられている。この合せ面部１３は、枠部用凹部１２の端面（段差面）における、発泡層８の端面を覆うようにして設けられた表皮材７の対応する端末部にて構成されている（但し、被覆材２１の貼着後は、合せ面部１３’となる。図３参照。以下同様）。
【００３８】
また、枠部用凹部１２には、出側枠部１４の他側部に対する合せ面欠落部９が形成されている。この合せ面欠落部９は、この場合、空調グリル部品３が、インストルメントパネル１の車幅方向の端部に位置することなどによって、枠部用凹部１２の外側端面に設けられる。なお、合せ面欠落部９は、上記したように位置的に形成されるものに限らず、意図的に形成させるようにすることも可能ではある。
【００３９】
ここで、符号１ａは、インストルメントパネル１の手前面（一般面）、符号１ｂは、インストルメントパネル１の外側面である。インストルメントパネル１の外側面１ｂは、芯材６に表皮材７が直接貼付けられた二層構造などとされている。この外側面１ｂは、乗員からは見えにくい位置に設置されている。また、符号１１ａは、インストルメントパネル１の外側面１ｂにおける、合せ面欠落部９側の貫通穴部１１周辺の内壁部分である。
【００４０】
なお、以上の構成は、上記した従来例のものとほぼ同様である。
【００４１】
この実施例のものでは、インストルメントパネル１に対し、図３、図４に示すように、本革１８などの被覆材２１が選択的に貼着可能とされる。
【００４２】
そして、被覆材２１の有無に拘らず、同じインストルメントパネル１と空調グリル部品３とが、特別な加工などを施すことなく、そのまま使用可能に構成される。
【００４３】
そのために、当面部１５と係止固定部１７とが、それぞれ、合せ面部１３の、被覆材２１の厚み分の側方変位を許容可能な、側方変位対応型当面部２８および側方変位対応型係止固定部２９とされる。なお、符号２２は、被覆材２１の厚みによる側方変位の方向である。この場合には、側方変位の方向２２は、ほぼ車幅方向となっている。なお、図１と図３では、空調グリル部品３の位置を示すために、方向２２を示す矢印の向きが反対に描かれている。
【００４４】
また、グリル部品取付部１０と空調グリル部品３との間に、空調グリル部品３の側方変位に伴うガタ付きを防止可能なグリル部品ガタ付防止手段２５が介装される。
【００４５】
より具体的には、側方変位対応型当面部２８を、入側風路部３Ａの奥部が当る奥当部３５とすると共に、この奥当部３５を、被覆材２１の厚み分の側方変位を許容可能なスライド当面３６とする。
【００４６】
この際、側方変位対応型当面部２８に対し、入側風路部３Ａの奥部に設けられた当形状部３０が当るようにする。この当形状部３０は、例えば、入側風路部３Ａの両側部に位置する側面３ａ，３ｂと直交する側面３ｃに設けられた面外張出部３２の奥端部などに設けられる。この場合、面外張出部３２および当形状部３０は、入側風路部３Ａのコーナー部近傍の位置などに４箇所設けられている（図２など参照）。
【００４７】
そして、上記した側方変位対応型当面部２８（奥当部３５、スライド当面３６）は、グリル部品取付部１０に対し、当部材１９を設けて、この当部材１９に設定する。この当部材１９は、グリル部品取付部１０に対する空調グリル部品３の取付方向２０へ延びる梁部１９ａと、この梁部１９ａの奥端部から側方（ほぼ車幅方向）へ延びる梁部１９ｂとを有する、ほぼＬ字状のものなどとされている。なお、スライド当面３６は、梁部１９ｂにおける、当形状部３０と対応する部分（手前面）に、それぞれ二箇所ずつ設けられる。また、スライド当面３６および当形状部３０は、その面が側方変位の方向２２へ延びるように設定される。当部材１９は、グリル部品取付部１０の一側部の裏面と他側部の内壁部分１１ａとの間に、架設されるように一体形成される。この当部材１９は、入側風路部３Ａの上記した側面３ｃが二面あるので、各側面３ｃのそれぞれに対応させて一対設けられる。
【００４８】
また、側方変位対応型係止固定部２９が、入側風路部３Ａの奥部から奥側へ向けて突設された係止爪部３７と、奥当部３５またはその近傍に設けられて係止爪部３７を係止可能な係止孔１６とを備えるようにする。この際、係止孔１６が、係止爪部３７の、被覆材２１の厚み分の側方変位を許容可能な長孔２３とされるようにする。なお、係止爪部３７は、被覆材２１の厚み分の側方変位に対して、係止状態を継続・保持可能なものとする。また、この長孔２３の両側部は、係止爪部３７が、被覆材２１の厚み分だけ側方変位される際のストッパ面となるように、遊びを小さく設定するのが好ましい。
【００４９】
更に、グリル部品ガタ付防止手段２５として、付勢用部材２６を用いる。この付勢用部材２６は、入側風路部３Ａの他側面と貫通穴部１１の対応する周辺部位（内壁部分１１ａ）との間隙２７に配設されて、空調グリル部品３を一側方（合せ面部１３，１３’の側）へ向けて付勢可能なものとする。
【００５０】
この場合、この付勢用部材２６は、その一端部を、入側風路部３Ａの他側面に固定され、その他端部をインストルメントパネル１の外側面１ｂを構成する芯材６に弾接された板バネなどとされている。
【００５１】
加えて、枠部用凹部１２の他側部における合せ面欠落部９の周辺構造は、以下のように構成されている。
【００５２】
即ち、出側枠部１４の他側部に、内側傾斜面３４を有する奥方延長部３３を設ける。この内側傾斜面３４は、内向き傾斜を有するものとされる。また、枠部用凹部１２の合せ面欠落部９に、内側傾斜面３４と対応する傾斜部３１を形成する。そして、この内側傾斜面３４と傾斜部３１との間に、被覆材２１の対応する端末部を挟み得るように構成する。この内側傾斜面３４および傾斜部３１は、出側枠部１４の奥に位置するため、手前側からは見えないように構成される。なお、内側傾斜面３４の傾斜角度３８は、インストルメントパネル１の外側面１ｂと傾斜部３１とが成す角度（の補角）と等しくすることによって、被覆材２１の端末部を均等に挟着し得るようにしても、傾斜角度３８が若干狭くなるようにすることによって、被覆材２１の端末部の奥側を強めに挟着し得るようにしても、傾斜角度３８が若干広くなるようにすることによって、被覆材２１の端末部の手前側を強めに挟着し得るようにしても良い。
【００５３】
次に、この実施例の作用について説明する。
【００５４】
インストルメントパネル１のグリル部品取付部１０に対する空調グリル部品３の取付けは、グリル部品取付部１０に対し、空調グリル部品３を、手前側から奥側へ向け、当面部１５に当たるまで挿入し、空調グリル部品３とグリル部品取付部１０との間に設けられた係止固定部１７を係止・固定させることによって行われる。
【００５５】
そして、図１、図２に示すように、被覆材２１が貼着されていないインストルメントパネル１の場合には、枠部用凹部１２の内側端面（段差面）における表皮材７の端末部が出側枠部１４の一側部に対する合せ面部１３となる。
【００５６】
これに対し、図３、図４に示すように、被覆材２１が貼着されたインストルメントパネル１の場合には、枠部用凹部１２の内側端面（段差面）における表皮材７の端末部の上に貼着された被覆材２１の端末部が出側枠部１４の一側部に対する合せ面部１３’となる。
【００５７】
そして、このように被覆材２１の有無によって合せ面部１３、１３’の位置が、被覆材２１の厚み分だけ側方変位することとなり、当面部１５や係止固定部１７の構成によっては、空調グリル部品３をうまく取付けられなくなる事態が生じるおそれがあるが、この実施例の場合には、当面部１５と係止固定部１７とを、合せ面部１３，１３’の、被覆材２１の厚み分の側方変位を許容可能な側方変位対応型当面部２８および側方変位対応型係止固定部２９としているので、支障無く空調グリル部品３を取付けることが可能となる。
【００５８】
また、グリル部品取付部１０と空調グリル部品３との間に介装したグリル部品ガタ付防止手段２５により、空調グリル部品３の側方変位に伴うガタ付きを防止することが可能となる。
【００５９】
なお、被覆材２１を貼着することにより、空調グリル部品３は、他側部へ向けて側方変位することとなるが、枠部用凹部１２の他側部には合せ面欠落部９が形成されているので、空調グリル部品３は、支障なく側方変位することができる。
【００６０】
この際、枠部用凹部１２と出側枠部１４との他側部間には、側方変位に伴って、ほぼ被覆材２１の厚み分の隙間が形成されることとなるが、出側枠部１４の内側傾斜面３４と枠部用凹部１２の傾斜部３１との間に、被覆材２１の対応する端末部が挟み込まれることにより、上記隙間が埋められると共に、被覆材２１の端末処理が行われる。
【００６１】
また、入側風路部３Ａと空調ダクトとの接続部分には、比較的厚めのシール部材が介装されているので、この厚めのシール部材の変形代によって、上記接続部分では、空調グリル部品３の側方変位の影響を吸収することが可能である。
【００６２】
このように、この実施例によれば、インストルメントパネル１に、角型の空調グリル部品３を取付可能なグリル部品取付部１０が設けられ、空調グリル部品３が、入側風路部３Ａと、入側風路部３Ａに対して少なくとも両側方へ張出す出側枠部１４とを有し、グリル部品取付部１０が、入側風路部３Ａを挿通配置可能な貫通穴部１１と、出側枠部１４を収容配置可能な枠部用凹部１２とを備え、グリル部品取付部１０が、空調グリル部品３に対する当面部１５を有すると共に、グリル部品取付部１０と空調グリル部品３との間に、空調グリル部品３をグリル部品取付部１０に対して係止保持可能な係止固定部１７が設けられ、且つ、枠部用凹部１２に、出側枠部１４の一側部に対する合せ面部１３，１３’が形成されると共に、枠部用凹部１２に、出側枠部１４の他側部に対する合せ面欠落部９が形成された空調グリル部品取付構造において、インストルメントパネル１に対し、被覆材２１が選択的に貼着可能とされると共に、被覆材２１の有無に拘らず、同じインストルメントパネル１と空調グリル部品３とがそのまま使用可能に構成され、当面部１５と係止固定部１７とが、合せ面部１３，１３’の、被覆材２１の厚み分の側方変位を許容可能な側方変位対応型当面部２８および側方変位対応型係止固定部２９とされると共に、グリル部品取付部１０と空調グリル部品３との間に、空調グリル部品３の側方変位に伴うガタ付きを防止可能なグリル部品ガタ付防止手段２５が介装されたことにより、以下のような作用効果を得ることができる。
【００６３】
即ち、側方変位対応型当面部２８および側方変位対応型係止固定部２９を設けると共にグリル部品ガタ付防止手段２５を設けることによって、被覆材２１の有無に拘らず、同じインストルメントパネル１と空調グリル部品３とがそのまま使用可能となるので、被覆材２１の有無による仕様上の造り分けが必要なくなり、コストや手間を抑えることができる。これによって、発泡型を変えたり、厚さ寸法の異なる表皮材７を使用したり、表皮材７を削って厚みを変えたり、大きさの異なる空調グリル部品３を使用したりするなどの必要をなくすことができる。
【００６４】
また、側方変位対応型当面部２８を、入側風路部３Ａの奥部が当る奥当部３５とすると共に、この奥当部３５を、被覆材２１の厚み分の側方変位を許容可能なスライド当面３６とし、側方変位対応型係止固定部２９が、入側風路部３Ａの奥部から奥側へ向けて突設された係止爪部３７と、奥当部３５またはその近傍に設けられて係止爪部３７を係止可能な係止孔１６とを備えると共に、係止孔１６が、係止爪部３７の、被覆材２１の厚み分の側方変位を許容可能な長孔２３とされたことにより、側方変位の影響の少ない奥部の位置に無理なく側方変位対応型当面部２８と側方変位対応型係止固定部２９とを設けることができる。
【００６５】
そして、グリル部品ガタ付防止手段２５が、入側風路部３Ａの他側面と貫通穴部１１の対応する周辺部位との間隙２７に配設されて、空調グリル部品３を一側方へ向けて付勢可能な付勢用部材２６であることにより、簡単な構成で、確実に空調グリル部品３のガタを抑制することができる。
【００６６】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。
【図面の簡単な説明】
【００６７】
【図１】本発明の実施例にかかる空調グリル部品取付構造の側方断面図である。
【図２】図１を手前側から見た図である。
【図３】被覆材を貼着した図１と同様の側方断面図である。
【図４】図３を手前側から見た図である。
【図５】従来例などの説明に用いたインストルメントパネルの部分的な斜視図である。
【図６】従来例にかかる空調グリル部品取付構造の側方断面図である。
【図７】図６の空調グリル部品の斜視図である。
【符号の説明】
【００６８】
１    インストルメントパネル
３    空調グリル部品
３Ａ  入側風路部
９    合せ面欠落部
１０  グリル部品取付部
１１  貫通穴部
１２  枠部用凹部
１３  合せ面部
１３’  合せ面部
１４  出側枠部
１５  当面部
１６  係止孔
１７  係止固定部
２１  被覆材
２３  長孔
２５  グリル部品ガタ付防止手段
２６  付勢用部材
２７  間隙
２８  側方変位対応型当面部
２９  側方変位対応型係止固定部
３５  奥当部
３６  スライド当面
３７  係止爪部
【図１】
2010095182.tif 000003
【図２】
2010095182.tif 000004
【図３】
2010095182.tif 000005
【図４】
2010095182.tif 000006
【図５】
2010095182.tif 000007
【図６】
2010095182.tif 000008
【図７】
2010095182.tif 000009